(57)【要約】【課題】  木造軸組構法でバルコニーなどを設ける場合において、経年による持ち出し梁の腐食を防止できるほか、開口部の高さの確保や強度にも優れた張り出し構造を提供すること。【解決手段】  持ち出し梁１１と胴差し４１、４２による張り出し構造で、建築物上階を囲む胴差し４１、４２は、二本が上下に並ぶように配置し、その間に鋼材を用いた持ち出し梁１１を挟み込み、且つその根元部分は、内部の横架材４７、４８に固定する。そして上下二本の胴差し４１、４２のそれぞれに埋設具２１を埋め込み、その一端面を持ち出し梁１１の上面または下面に接触させ、持ち出し梁１１と埋設具２１をボルトなどの固定手段２８で一体化する。持ち出し梁１１が鋼材のため、腐食を防止でき、しかも二本の胴差し４１、４２が剛接合され強度が向上するため、これらの上下寸法も抑制可能で、開口部の高さも確保できる。【選択図】      図１
2016030889.tif 000002
【特許請求の範囲】
【請求項１】
建築物上階を囲む胴差し（４１、４２）から持ち出し梁（１１乃至１４）が突出する張り出し構造であって、
前記胴差し（４１、４２）は、二本が上下に並ぶように配置し、
前記持ち出し梁（１１乃至１４）は、前記上側の胴差し（４１）と前記下側の胴差し（４２）の間に挟み込み、且つ該持ち出し梁（１１乃至１４）の根元部分は、建築物内部の横架材（４７、４８）又は他の持ち出し梁（１１）に固定し、
前記持ち出し梁（１１乃至１４）には鋼材を用い、
前記上下二本の胴差し（４１、４２）のそれぞれに埋設具（２１又は３１又は３９）を埋め込み、該埋設具（２１又は３１又は３９）の一端面を前記持ち出し梁（１１乃至１４）の上面又は下面に接触させ、且つ該持ち出し梁（１１乃至１４）と該埋設具（２１又は３１又は３９）を固定手段（２８又は３８）で一体化することを特徴とする張り出し構造。
【請求項２】
前記胴差し（４１、４２）の側面には、前記持ち出し梁（１１乃至１４）の外縁を隙間なく塞ぐ防水板（６１）を取り付けてあることを特徴とする請求項１記載の張り出し構造。
【発明の詳細な説明】
【技術分野】
【０００１】
本発明は、木造建築において、バルコニーや庇などの骨格となる張り出し構造に関する。
【背景技術】
【０００２】
住宅などの建築物において、洗濯物の乾燥や眺望の確保などを目的として、上階の壁面にバルコニーやベランダを設置することがある。このような壁面から突出する構造物は、柱などで下支えすることも多いが、様々な制約から片持ちの腕木だけで支持することもある。腕木には、大きな曲げモーメントが作用するため、その施工に際しては、胴差しなど、建築物を囲む部材と強固に連結する必要があり、取り付け構造が複雑化しやすい。これを避けるため、腕木の代替として建築物の内外を貫く持ち出し梁を用い、胴差しとの取り付け構造を簡素化することもある。
【０００３】
本願発明と関連のある技術の例として、後記特許文献が挙げられ、特許文献１では、部品点数が少なく、しかも強度や防水性や施工性にも優れた、持ち出し梁の配設構造およびバルコニー骨組みが開示されている。バルコニーの骨組みとなる持ち出し梁は、鉄骨構造の上階部分に設けた床フレームを貫いて外部に突出しており、その根元と中間の二箇所で床フレームに固定されている。そのため曲げモーメントが分散され、強度が向上する。また、持ち出し梁と床フレームは、専用金物で固定することで、溶接作業が簡素化するほか、床フレームの上下には何らの突出物も存在せず、納まりの問題も発生しない。
【０００４】
特許文献２では、バルコニーの防水性を確保するための段差梁と、この段差梁を用いた床構造が開示されている。段差梁は、中間に位置する段差ブロックを境として、建築物の中に入り込む床梁部と、建築物の外に突出するバルコニー梁部を段違いに一体化したもので、建築物の内外を貫く持ち出し梁として機能する。持ち出し梁に段差を設けることで、足が直接触れるバルコニーデッキと、雨水を受け止めるバルコニー床の高低差を無理なく確保でき、防水性に優れるほか、バルコニーデッキと居室床のそれぞれの上面を同一高さに揃えることができ、居住性も向上する。
【先行技術文献】
【特許文献】
【０００５】
【特許文献１】特開２０１０−１９６４４８号公報
【特許文献２】特開２０１２−２２５０５８号公報
【発明の概要】
【発明が解決しようとする課題】
【０００６】
持ち出し梁は、前記両特許文献のように、鉄骨構造の建築物で広く普及しているが、木造軸組構法でも導入は可能で、バルコニーなどの耐荷重の向上や、構造の簡素化が期待できる。しかし持ち出し梁に木材を使用した場合、野外の苛酷な環境により、誰にも認識されることなく腐食が進む恐れがある。さらに腐食した持ち出し梁を交換するには、建築物内部の骨格構造を解体する大規模な作業が必要となり、費用面などで負担が大きい。このような事情により、木造軸組構法においては、持ち出し梁の導入を避ける傾向がある。
【０００７】
それでも木造軸組構法で持ち出し梁を導入する場合、その支持は、胴差しなど、他の水平材に委ねられるが、持ち出し梁と他の水平材は、立体的に交差する。そのため、持ち出し梁と他の水平材が占める上下寸法も大きくなり、開口部や天井の高さを十分に確保できない恐れがある。また、持ち出し梁と他の水平材は、建築物の健全性を維持するため、強固に連結する必要がある。
【０００８】
本発明はこうした実情を基に開発されたもので、木造軸組構法でバルコニーなどを設ける場合において、経年による持ち出し梁の腐食を防止できるほか、開口部の高さの確保や強度にも優れた張り出し構造の提供を目的としている。
【課題を解決するための手段】
【０００９】
前記の課題を解決するための請求項１記載の発明は、建築物上階を囲む胴差しから持ち出し梁が突出する張り出し構造であって、前記胴差しは、二本が上下に並ぶように配置し、前記持ち出し梁は、前記上側の胴差しと前記下側の胴差しの間に挟み込み、且つ該持ち出し梁の根元部分は、建築物内部の横架材又は他の持ち出し梁に固定し、前記持ち出し梁には鋼材を用い、前記上下二本の胴差しのそれぞれに埋設具を埋め込み、該埋設具の一端面を前記持ち出し梁の上面又は下面に接触させ、且つ該持ち出し梁と該埋設具を固定手段で一体化することを特徴とする張り出し構造である。
【００１０】
本発明は、木造軸組構法でバルコニーや庇などの外部構造物を設置するためのもので、持ち出し梁を用いることを前提とする。持ち出し梁は、外部構造物の骨格となる重要な部材で、建築物の内外を貫くように配置し、その一部が建築物の壁面から外部に突出する。また胴差しは、建築物の上階の外縁に沿って水平に配置される部材で、本発明では、胴差しを一本ではなく、上下に二分割したことを特徴としている。なおこの二本の胴差しは、一定の距離を隔てて平行に並ぶ。
【００１１】
持ち出し梁は、上下に並ぶ二本の胴差しの間に挟み込むため、その上下面は、胴差しと接触する。なお持ち出し梁と胴差しは、原則として直交させるが、諸事情があれば交角を有していても構わない。また持ち出し梁において、建築物内部に入り込む根元部分は、建築物内の横架材など、強度上の問題がない部材に固定して変位を防止する。ただし根元部分の全体を横架材などに接触させる訳ではなく、根元部分の先端など、ごく一部だけを接触させる。
【００１２】
さらに持ち出し梁は、木造軸組構法を前提とする中で、例外的に木材ではなく鋼材を使用する。そのため塗装やメッキなどの処理を施すことで、風雨にさらされた場合でも、腐食を防止できる。また縦弾性係数が木材と比べて大きく、しかも物性が安定しているため、木材よりも断面形状を小さくでき、上下の胴差しの間隔も狭めることができる。なお鋼材については、Ｈ形鋼や溝形鋼など、汎用の形鋼を自在に選択できるが、胴差しと面接触できるよう、上下が平面になっているものに限られる。
【００１３】
埋設具は、胴差しに埋め込む金物で、埋設具と胴差しは、何らかの手段で一体化させることを前提とする。さらに埋設具の一端面は、持ち出し梁に接触させ、胴差しの表面が持ち出し梁に陥没することを防ぐ。そのため、持ち出し梁の上方に位置する胴差しについては、その下面から埋設具を埋め込み、対して下方に位置する胴差しについては、その上面から埋設具を埋め込み、いずれの埋設具も、その一端面（埋め込み時の後端）を胴差しの表面と段差なく揃える。
【００１４】
埋設具の具体例としては、ラグスクリューやホゾパイプやホゾシャフトが挙げられる。ラグスクリューは、その側周面に螺旋状の突条を形成してあり、これが胴差しに食い込むことで、緩みなく固定され、木材の経年変形の影響を受けにくい。またホゾパイプは、金属製の中空棒で、その側周面には、複数の孔を形成してある。この孔と胴差しを貫くようにドリフトピンを打ち込むと、ホゾパイプが胴差しと一体化する。そのほかホゾシャフトは、ホゾパイプを中実棒としたもので、その端面にメネジを形成することができる。
【００１５】
固定手段は、埋設具と持ち出し梁を一体化するもので、持ち出し梁を二本の胴差しと剛接合する役割を有する。埋設具と持ち出し梁は、いずれも金属製であるため、固定手段として通常はボルトを用い、埋設具にメネジを形成し、持ち出し梁からメネジに向けてボルトを差し込む。ただし形状面でボルトの使用が難しい場合、固定手段として溶接を用い、施工前に埋設具と持ち出し梁を一体化することもある。
【００１６】
このように、埋設具と固定手段を用い、上下二本の胴差しで持ち出し梁を挟み込み、且つ埋設具と持ち出し梁を固定手段で一体化することで、持ち出し梁と胴差しの変位が規制され、二本の胴差しが実質的に一本の胴差しとして機能し、剛性が向上する。その結果、個々の胴差しの高さを抑制した場合でも、従来の一本の胴差しと同等の強度を確保できる。しかも持ち出し梁は、鋼材であるため、木材と比べ高さを抑制できる。この二つの要因により、持ち出し梁を挟む二本の胴差しが占める上下寸法を抑制可能で、開口部などを圧迫することもない。
【００１７】
なお本発明では、埋設具と持ち出し梁を密着させる構造のため、上下の胴差しでも、持ち出し梁の曲げモーメントを受け止めることができる。しかしその場合、ボルトなどの固定手段や、胴差しの角部に荷重が集中し、変形による緩みの恐れがある。したがって、持ち出し梁の曲げモーメントは、建築物内部の部材で受け止め、胴差しが受ける負担を軽減させている。そのほか持ち出し梁は、最低でも二本は配置し、上下の胴差しを枠組状に一体化して、剛性を向上させる。
【００１８】
請求項２記載の発明は、建築物内部への雨水の浸入を確実に防ぐためのもので、胴差しの側面には、持ち出し梁の外縁を隙間なく塞ぐ防水板を取り付けてあることを特徴とする。持ち出し梁は、建築物の内外を貫くため、雨水がその表面を伝い、建築物内部に入り込み、胴差しなどの部材に達する恐れがある。防水板は、これを食い止めるための板で、持ち出し梁の縦断面よりも一回り大きく、その表面には、持ち出し梁の縦断面と同形の切り抜きを設けてある。
【００１９】
施工時は、防水板を持ち出し梁の先端から差し込み、これを胴差しの側面（外向きの側面）に接触させ、釘などで胴差しに固定する。その後、防水板と持ち出し梁の境界にシーリング材を塗布し、水密性を確保する。なお施工性を考慮して、防水板を分割形状として、持ち出し梁の側方から防水板を配置することもできる。ただしその場合、分割線もシーリング材などで塞ぎ、本来の機能を発揮できるようにする。
【発明の効果】
【００２０】
請求項１記載の発明のように、持ち出し梁に鋼材を用い、この持ち出し梁を上下二本の胴差しで挟み込み、持ち出し梁と胴差しを埋設具と固定手段で一体化することで、持ち出し梁の高さを抑制できるほか、二本の胴差しが剛接合され、強度が向上する。その結果、持ち出し梁と二本の胴差しを合わせた上下寸法を抑制可能で、建築物の開口部や天井の高さを確保しやすい。
【００２１】
また、持ち出し梁に鋼材を用いるため、メッキなどの対策を講じることで、風雨にさらされる過酷な環境においても腐食も生じにくく、木造軸組構法においても、バルコニーなどの外部構造物を安心して導入できる。そのほか、持ち出し梁と胴差しは、埋設具を介して接触するため、胴差しの表面が持ち出し梁に押圧されて陥没することもなく、経年による持ち出し梁の緩みや傾きも防止できる。
【００２２】
請求項２記載の発明のように、持ち出し梁の側面に防水板を取り付けることで、持ち出し梁を伝って雨水が建築物内部に達した場合でも、防水板で雨水を拡散させながら落下させ、胴差しなど、建築物の骨格となる部材が雨水で濡れることを防止できる。そのため建築物の健全性を長期間維持でき、安全性を低下させることがない。
【図面の簡単な説明】
【００２３】
【図１】本発明による張り出し構造の具体例を示す斜視図で、木造軸組構法による建築物の上階壁面にバルコニーを設置することを想定している。
【図２】図１の詳細を描いた斜視図で、持ち出し梁と各部材の位置関係と、「Ｂ部」の詳細を示している。
【図３】図２の「Ｃ部」と「Ｄ部」の詳細を示す斜視図である。
【図４】図１の持ち出し梁に防水板を組み込む場合を示す斜視図である。
【図５】埋設具としてホゾパイプを用いた張り出し構造を示す斜視図である。
【図６】図５の埋設具と胴差しの固定方法を示す斜視図である。
【図７】図１および図５に描いた構造において、持ち出し梁と胴差しの固定部の構成を示す縦断面図である。
【図８】持ち出し梁に溝形鋼を用いた張り出し構造を示す斜視図である。
【図９】建築物の角部にバルコニーを設置し、渡り廊下として使用する場合を示す斜視図である。
【図１０】本発明による張り出し構造を用い、建築物の壁面にバルコニーを設置した状況を示す斜視図である。
【発明を実施するための形態】
【００２４】
図１は、本発明による張り出し構造の具体例で、木造軸組構法による建築物の上階壁面にバルコニーＢＬを設置することを想定している。図中の柱４３は、地盤から直立しており、これによって胴差し４１、４２などが架空に支持される。胴差し４１、４２は、上階の土台となる部材で、建築物の側面に沿って配置されるが、この図では二本の柱４３の間を跨ぐように胴差し４１、４２が上下に並んでおり、ここから建築物の外にバルコニーＢＬが突出している。
【００２５】
外縁梁４４は、建築物の側面に沿って配置され、胴差し４１、４２と同等の機能を担う。また中梁４６は、柱４３を基点として建築物内部に配置される水平材で、床などの荷重を受け止める。そのほか、平行に伸びる外縁梁４４と中梁４６の間には、横架材４７、４８を配置してある。そして、外縁梁４４と中梁４６と横架材４７、４８は、上側の胴差し４１と同じ高さに配置され、且つそれぞれの部材の高さも等しい。
【００２６】
持ち出し梁１１は、建築物の内外を貫き、バルコニーＢＬに作用する全荷重を受け止め、距離を隔てて二本を平行に配置してある。この図は、木造軸組構法を想定しているが、持ち出し梁１１に限り、例外的にＨ形鋼を用いており、その中間部が二本の胴差し４１、４２の間に挟み込まれている。そして胴差し４１、４２から先（図の右下方向）は、建築物の外部に突出してバルコニーＢＬを支持し、その反対側は、建築物内部に差し込まれ、二本の横架材４７、４８と接触する。
【００２７】
バルコニーＢＬを構築するため、持ち出し梁１１の先端に外桁５５を載せる。また外桁５５の両端には、柱４３に向けて伸びる腕木５４を配置してある。外桁５５と腕木５４は、バルコニーＢＬの外縁を形成する部材で、転落防止用の支柱５６と手スリ５７の基礎となる。さらに、外桁５５と腕木５４の内側を塞ぐよう、床板５８を取り付けるが、水はけを考慮して、床板５８はわずかに傾斜させている。なお腕木５４は、バルコニーＢＬを支持することを想定しておらず、その取り付けも簡易な方法としている。
【００２８】
持ち出し梁１１は、胴差し４１、４２が支点となり、外桁５５を載せる位置が力点となり、横架材４７、４８との接触部が作用点となり、架空に支持される。そのため、バルコニーＢＬの自重で持ち出し梁１１に生じる曲げモーメントは、胴差し４１、４２で受け止められる訳ではなく、その奥の横架材４７、４８で受け止められる。なお胴差し４１、４２は、主に垂直荷重を受け止める。また持ち出し梁１１の全長は、バルコニーＢＬから受ける荷重を考慮して、過度に長尺化しないようにする。
【００２９】
持ち出し梁１１と胴差し４１、４２が交差する図中の「Ａ部」は、上下の胴差し４１、４２を緩みなく一体化するため、図１下方の「Ａ部詳細」のように、胴差し４１、４２に埋設具２１を埋め込み、その一端面を持ち出し梁１１に接触させる。この埋設具２１は、汎用のラグスクリューを流用したもので、その側周面には螺旋状に伸びる突条２４を形成し、さらに一端面には工具を掛ける六角形の頭部２３を形成し、その中心にはメネジ２５を形成してある。
【００３０】
埋設具２１を埋め込むため、それぞれの胴差し４１、４２には、横並びで二箇所に有底の軸穴５１を加工してある。そして埋設具２１の一端を軸穴５１に差し込み、頭部２３に工具を掛けてねじ込むと、突条２４は軸穴５１の内周面を切り裂いて内部に食い込み、埋設具２１が胴差し４１、４２と強固に一体化する。なお上側の胴差し４１は、その下面から軸穴５１を加工し、対して下側の胴差し４２は、その上面から軸穴５１を加工し、いずれの埋設具２１とも、その一端面は、胴差し４１、４２の表面と段差なく並ぶよう、ねじ込みを調整する。
【００３１】
持ち出し梁１１と胴差し４１、４２は、固定手段２８で一体化する。ここでの固定手段２８はボルトで、持ち出し梁１１のフランジの内側から埋設具２１のメネジ２５に向けて差し込む。そのため、持ち出し梁１１の上下のフランジには、ボルトの軸部を通すため、抜き孔１８を形成してある。そして固定手段２８を締め付けると、上下それぞれの胴差し４１、４２が持ち出し梁１１に引き寄せられ、双方が面接触するほか、埋設具２１の一端面も持ち出し梁１１に接触する。当然ながら抜き孔１８は、埋設具２１と同心に揃う位置に設ける。
【００３２】
図２は、図１の詳細を示し、その上方には、持ち出し梁１１と各部材の位置関係を描いてあり、持ち出し梁１１は、上下の胴差し４１、４２で挟み込まれている。また外桁５５と横架材４７、４８は、持ち出し梁１１の上面と接するように配置してある。そして、持ち出し梁１１と外桁５５の接触部は、「Ｂ部詳細」のように、外桁５５の上下を貫く軸穴５１を加工し、そこに埋設具２１を埋め込んでいる。埋設具２１は、図１に描いたものと同形状だが、この軸穴５１に限り、外桁５５の高さとの兼ね合いで、上下を貫通している。なお外桁５５を固定するため、持ち出し梁１１から埋設具２１に向けて固定手段２８（ボルト）を差し込む点は、図１の「Ａ部詳細」と同じである。
【００３３】
図３は、図２の「Ｃ部」と「Ｄ部」の詳細を示している。「Ｄ部」は、「Ｂ部」などと同様、二本の埋設具２１を下方から埋め込み、持ち出し梁１１のフランジから固定手段２８（ボルト）を差し込み、持ち出し梁１１を横架材４８に密着させている。対して、持ち出し梁１１の中間部にあたる「Ｃ部」は、双方を強固に一体化する必要がない。ただし床鳴りなどの不具合を避け、骨格全体の剛性を向上させるため、持ち出し梁１１から横架材４７に向けてネジ釘１９を差し込んでいる。そのため、ここでも持ち出し梁１１の上面に抜き孔１８を形成してある。
【００３４】
図４は、図１の持ち出し梁１１に防水板６１を組み込む場合を示している。防水板６１は、持ち出し梁１１を伝う水分が建築物内部の骨格構造に達することを阻止するもので、ステンレス板などを用い、胴差し４１、４２の側面（外向きの側面）に取り付ける。なお図の防水板６１は、左右に分割され、さらに持ち出し梁１１の縦断面形状に応じ、内部に切り抜き６２を設けてある。
【００３５】
防水板６１は、大きな荷重が加わることもないため、単純に釘６３で胴差しに取り付けてある。さらに左右の防水板６１の境界や、防水板６１と持ち出し梁１１の境界は、シーリング材などで密閉する。防水板６１により、外部から入り込んだ雨水は、胴差し４１、４２の直前で持ち出し梁１１から離れ、落下中に拡散されていく。よって内部の骨格構造の腐食を防ぐことができる。
【００３６】
図５は、埋設具３１としてホゾパイプを用いた張り出し構造を示している。バルコニーＢＬの荷重条件が比較的緩く、持ち出し梁１２として、フランジ幅の狭いＨ形鋼を使用することがある。その場合、スペースとの兼ね合いから図１のように、持ち出し梁１１と埋設具２１を一体化する固定手段２８として、ボルトを使用できない。そのためこの図のように、固定手段３８として溶接を用いることもある。
【００３７】
持ち出し梁１２と埋設具３１をあらかじめ溶接する場合、埋設具としてラグスクリューを使用することは不可能で、図のように円筒形のホゾパイプを使用し、胴差し４１、４２などの部材に加工した丸孔５０に差し込む。ただし外桁５５については、高さが不足するためホゾパイプを使用できず、ネジ釘１９で固定する。これに対応し、持ち出し梁１２の先端付近では、ウェブと下フランジを除去し、上面に抜き孔１８を形成してある。なおこの図において、埋設具３１と固定手段３８関連以外の構成は、図１とほぼ同じである。
【００３８】
図６は、図５の埋設具３１と胴差し４１、４２の固定方法を示す。この埋設具３１は、金属製の円筒形のホゾパイプであり、施工前の段階で、持ち出し梁１２と溶接で一体化してある。また胴差し４１、４２には、ホゾパイプを緩みなく差し込むため、丸孔５０を加工してある。そしてホゾパイプと胴差し４１、４２は、双方を貫くドリフトピン３３で一体化する。そのためホゾパイプの側周面には、上下に複数列の側孔３２を形成してあり、胴差し４１、４２の側面には、側孔３２と同心となるピン孔５２を加工してある。なお、持ち出し梁１２と横架材４７、４８についても、この図と同様の方法で固定する。
【００３９】
図７は、図１および図５に描いた構造において、持ち出し梁１１、１２と胴差し４１、４２の固定部の縦断面を示している。図１の固定部は、埋設具２１（ラグスクリュー）をそれぞれの胴差し４１、４２に二本ずつ埋め込み、その一端面を持ち出し梁１１に接触させている。また埋設具２１は、突条２４で胴差し４１、４２の内部に据え置かれ、さらに、持ち出し梁１１と埋設具２１も、固定手段２８（ボルト）で密着している。そのため上下の胴差し４１、４２は、緩みなく枠組状に一体化し、一つの部材とみなすことができる。
【００４０】
次に、下方に描く図５の固定部は、埋設具３１（ホゾパイプ）をそれぞれの胴差し４１、４２に埋め込み、その一端面を持ち出し梁１２に接触させ、双方を固定手段３８（溶接）で一体化してある。また埋設具３１は、ドリフトピン３３で胴差し４１、４２に固定してあり、上下の胴差し４１、４２は、緩みなく枠組状に一体化し、一つの部材とみなすことができる。なお図５の持ち出し梁１２は、図１のものと比べて幅が狭い。そのため、図１のようにボルトを使用することが難しく、その代替としてホゾパイプを溶接で固定している。
【００４１】
図８は、持ち出し梁１３に溝形鋼を用いた張り出し構造を示している。持ち出し梁となる鋼材は自在に選択可能で、このように溝形鋼を用いることもできる。またここでは、「Ｅ部詳細」のように、埋設具３９としてホゾシャフトを使用している。ホゾシャフトは、図６のホゾパイプと同様の機能を有し、その側周面には、ドリフトピン３３を差し込むため、側孔３２を形成してあり、これに対応し、胴差し４１、４２の側面には、ピン孔５２を加工してある。さらに、ホゾシャフトの一端面の中央には、メネジ２５を形成してある。
【００４２】
胴差し４１、４２の丸孔５０に埋設具３９を埋め込み、双方を貫通するドリフトピン３３を打ち込み、埋設具３９を固定した後、持ち出し梁１３の内側からメネジ２５に向けて固定手段２８（ボルト）を差し込み、締め付けると、胴差し４１、４２が持ち出し梁１３に密着する。なお、持ち出し梁１３の上下には、ボルトの軸部を通すため、抜き孔１８を形成してある。また溝形鋼の内面は傾斜しており、そのままではボルトの頭部が安定しない。そのため、専用の角ワッシャ２９を挟み込んでいる。
【００４３】
図８の持ち出し梁１３は、胴差し４１、４２を基準として、外側と内側の延長がほぼ等しく、内側では一本の横架材４８とだけ接触している。このように、持ち出し梁１３と他の部材の配置は、荷重条件などに応じて都度自在に決めることができる。そのほかこの図において、持ち出し梁１３と外桁５５や、持ち出し梁１３と横架材４８は、各種方法で連結する。
【００４４】
図９は、建築物の角部にバルコニーＢＬを設置し、渡り廊下として使用する場合を示している。バルコニーＢＬは、直線状に伸びる形態が主流だが、この図のように途中で直角に屈曲することもある。本発明は、このような構造にも対応可能で、持ち出し梁１１、１４および上下一組の胴差し４１、４２を二方向に配置する。持ち出し梁１１、１４を二方向に配置することで、これらが内部で交差するため、図の右上に伸びる持ち出し梁１４は、短尺としてある。そしてこの持ち出し梁１４の端部は、交差する持ち出し梁１１に固定して、変位を防止する。
【００４５】
直角に接する二本の持ち出し梁１１、１４の固定方法は自在で、溶接も可能だが、ここでは「Ｆ部詳細」のように、アングル１６を介して固定している。二本の持ち出し梁１１、１４は、同じ大きさのＨ形鋼を使用し、そのフランジやウェブも同じ高さに並ぶ。そこでアングル１６は、上下のフランジの間に挟まり、且つ双方のウェブに接触するＬ字形として、持ち出し梁１４を挟み込むように二個使用する。さらにボルト３５とナット３６を用い、アングル１６をそれぞれの持ち出し梁１１、１４に固定する。なお持ち出し梁１１、１４には、ボルト３５を差し込むため、キリ孔１７を形成してある。
【００４６】
図１０は、本発明による張り出し構造を用い、建築物の壁面にバルコニーＢＬを設置した状況を示している。建築物上階の壁面からは、三本の持ち出し梁１１が平行に突出しており、これと直交するように外桁５５やタルキ５９を載せ、その上に床板５８を敷き詰める。また外桁５５や腕木５４からは、支柱５６を突出させ、その上面に手スリ５７を取り付ける。なお持ち出し梁１１は、建築物内部に差し込まれているが、その様子は外部からは全く認識できない。そのほか、持ち出し梁１１が貫く壁面は、異物の流入を防ぐため密閉する。
【符号の説明】
【００４７】
１１  持ち出し梁（幅広Ｈ形鋼）
１２  持ち出し梁（幅狭Ｈ形鋼）
１３  持ち出し梁（溝形鋼）
１４  持ち出し梁（幅広Ｈ形鋼・短尺）
１６  アングル
１７  キリ孔
１８  抜き孔
１９  ネジ釘
２１  埋設具（ラグスクリュー）
２３  頭部
２４  突条
２５  メネジ
２８  固定手段（ボルト）
２９  角ワッシャ
３１  埋設具（ホゾパイプ）
３２  側孔
３３  ドリフトピン
３５  ボルト
３６  ナット
３８  固定手段（溶接）
３９  埋設具（ホゾシャフト）
４１  胴差し（上側）
４２  胴差し（下側）
４３  柱
４４  外縁梁
４６  中梁
４７  横架材
４８  横架材
５０  丸孔
５１  軸穴
５２  ピン孔
５４  腕木
５５  外桁
５６  支柱
５７  手スリ
５８  床板
５９  タルキ
６１  防水板
６２  切り抜き
６３  釘
ＢＬ  バルコニー
【図１】
2016030889.tif 000003
【図２】
2016030889.tif 000004
【図３】
2016030889.tif 000005
【図４】
2016030889.tif 000006
【図５】
2016030889.tif 000007
【図６】
2016030889.tif 000008
【図７】
2016030889.tif 000009
【図８】
2016030889.tif 000010
【図９】
2016030889.tif 000011
【図１０】
2016030889.tif 000012